(57)【要約】【課題】  一体部材を連続的に処理する一括処理工程を含む製造工程で得られるデータを処理するデータ処理装置において、一括処理工程で得られる時系列データを用いて複数の製品間の差異を解析可能な解析用データを作成する技術を提供する。【解決手段】  成形部材１０の製造工程で得られるデータを処理するデータ処理装置であって、成形部材１０の製造工程は、複数の成形部材１０に対応する金属材１１を連続的に処理する圧延工程を含んでおり、圧延工程で得られる時系列データを、金属材１１に含まれる複数の成形部材１０の製品数で分割し、複数の分割データを作成する分割処理部３０と、各成形部材１０を識別するための識別ラベルと、複数の分割データのうち、識別ラベルの成形部材１０に対応する分割データと、を関連付ける関連付け処理部５０と、を備える。【選択図】  図２
2020035171.tif 000002
【特許請求の範囲】
【請求項１】
製品の製造工程で得られるデータを処理するデータ処理装置であって、
前記製品の製造工程は、複数の前記製品に対応する一体部材を連続的に処理する一括処理工程を含んでおり、
前記一括処理工程で得られる時系列データを、前記一体部材に含まれる前記複数の製品の製品数で分割し、複数の分割データを作成する分割処理部と、
各前記製品を識別するための識別ラベルと、前記複数の分割データのうち、前記識別ラベルの製品に対応する前記分割データと、を関連付ける関連付け処理部と、を備える、
データ処理装置。
【請求項２】
請求項１に記載のデータ処理装置であって、
前記製品の製造工程は、１つの前記製品に対応する個別部材を１つずつ処理する個別処理工程を含んでおり、
前記関連付け処理部は、前記個別処理工程で得られる前記個別部材についての個別データのうち、前記識別ラベルの製品に対応する前記個別部材についての個別データと、前記識別ラベルと、を関連付ける、
データ処理装置。
【請求項３】
請求項２に記載のデータ処理装置であって、
前記分割処理部は、前記一括処理工程で前記一体部材を連続的に処理するときの前記一体部材の送り速度に応じて、前記時系列データの全データ数に対する前記分割データのそれぞれに含まれるデータ数の比率を変更する、
データ処理装置。
【請求項４】
請求項２または請求項３に記載のデータ処理装置であって、
前記製品の製造工程は、前記一体部材を前記一括処理工程で連続的に処理したのちに、前記一体部材の各部に対応する複数の前記個別部材を前記個別処理工程で１つずつ処理するものであり、
前記関連付け処理部は、
前記一括処理工程で前記一体部材の各部が処理される順番と、前記個別処理工程で前記個別部材が処理される順番とが同じである場合、処理された順の前記各部と、処理された順の前記個別部材と、が対応づけられるように前記識別ラベル、前記分割データ、および、前記個別データを関連付け、
前記一括処理工程で前記一体部材の各部が処理される順番と、前記個別処理工程で前記個別部材が処理される順番とが逆である場合、処理された順の前記各部と、処理された順とは反対となる順番の前記個別部材と、が対応づけられるように前記識別ラベル、前記分割データ、および、前記個別データを関連付ける、
データ処理装置。
【請求項５】
請求項１から請求項４のいずれか一項に記載のデータ処理装置は、さらに、
前記一括処理工程における前記一体部材の処理を開始する前から当該一体部材の処理を終了した後までの測定データから、前記一体部材の処理を開始する前の測定データ、および、前記一体部材の処理を終了した後の測定データを削除することによって前記時系列データを作成する時系列データ作成部を備える、
データ処理装置。
【請求項６】
製品の製造工程で得られるデータを処理するデータ処理方法であって、
前記製品の製造工程は、複数の前記製品に対応する一体部材を連続的に処理する一括処理工程を含んでおり、
前記一括処理工程で得られる時系列データを、前記一体部材に含まれる前記複数の製品の製品数で分割し、複数の分割データを作成する分割処理工程と、
各前記製品を識別するための識別ラベルと、前記複数の分割データのうち、前記識別ラベルの製品に対応する前記分割データと、を関連付ける関連付け処理工程と、を備える、
データ処理方法。
【請求項７】
製品の製造工程で得られるデータの処理をコンピュータに実行させるコンピュータプログラムであって、
前記製品の製造工程は、複数の前記製品に対応する一体部材を連続的に処理する一括処理工程を含んでおり、
前記一括処理工程で得られる時系列データを、前記一体部材に含まれる前記複数の製品の製品数で分割し、複数の分割データを作成する分割処理機能と、
各前記製品を識別するための識別ラベルと、前記複数の分割データのうち、前記識別ラベルの製品に対応する前記分割データと、を関連付ける関連付け処理機能と、を前記コンピュータに実行させる、
コンピュータプログラム。
【発明の詳細な説明】
【技術分野】
【０００１】
本発明は、製品の製造工程で得られるデータを処理するデータ処理装置、データ処理方法、および、データの処理をコンピュータに実行させるコンピュータプログラムに関する。
【背景技術】
【０００２】
従来、製品の製造工程の解析を行うことを目的として、製造工程でセンサによって得られる当該製品に関連する物理量と当該製品を識別するための識別ラベルとを関連付ける関連付け処理を行うデータ処理装置が知られている。例えば、特許文献１には、製造時に得られる物理量の時間変化を示す時系列データから特徴量を抽出し、当該特徴量に基づいて時系列データの波形を分析する技術が開示されている。
【先行技術文献】
【特許文献】
【０００３】
【特許文献１】特開２０１７−１３８９２９号公報
【発明の概要】
【発明が解決しようとする課題】
【０００４】
製品の製造工程に複数の製品に対応する一体部材を連続的に処理する一括処理工程が含まれている場合、一括処理工程の１サイクルにおける物理量の時間変化を示す時系列データには、複数の製品のそれぞれに対応する複数の物理量が含まれる。特許文献１では、時系列データを製造工程の解析に用いる場合、製品を識別するための識別ラベルと、時系列データの平均値や中央値などの特徴量とを関連付ける。しかしながら、このような特徴量では、物理量の時間変化の特徴が含まれないため、一括処理工程の１サイクルで処理された複数の製品間の差異が現れない。このため、時系列データから複数の製品間の差異を解析することは困難であった。
【０００５】
本発明は、上述した課題を解決するためになされたものであり、一体部材を連続的に処理する一括処理工程を含む製造工程で得られるデータを処理するデータ処理装置において、一括処理工程で得られる時系列データを用いて複数の製品間の差異を解析可能な解析用データを作成する技術を提供することを目的とする。
【課題を解決するための手段】
【０００６】
本発明は、上述の課題の少なくとも一部を解決するためになされたものであり、以下の形態として実現することが可能である。
【０００７】
（１）本発明の一形態によれば、製品の製造工程で得られるデータを処理するデータ処理装置であって、前記製品の製造工程は、複数の前記製品に対応する一体部材を連続的に処理する一括処理工程を含んでおり、前記一括処理工程で得られる時系列データを、前記一体部材に含まれる前記複数の製品の製品数で分割し、複数の分割データを作成する分割処理部と、各前記製品を識別するための識別ラベルと、前記複数の分割データのうち、前記識別ラベルの製品に対応する前記分割データと、を関連付ける関連付け処理部と、を備える。
【０００８】
この構成によれば、分割処理部は、一括処理工程で得られる時系列データを、一体部材に含まれる複数の製品の製品数で分割する。関連付け処理部では、各製品を識別するための識別ラベルと、製品の製品数に分割された時系列データの一部である分割データのうち当該識別ラベルの製品に対応する分割データと、を関連付ける。これにより、時系列データの一部を、当該時系列データの一部に対応する製品の識別ラベルに関連付けることができるため、一括処理工程で得られる時系列データを用いて一体部材に含まれる複数の製品間の差異を解析可能な解析用データを作成することができる。
【０００９】
（２）上記形態のデータ処理装置において、前記製品の製造工程は、１つの前記製品に対応する個別部材を１つずつ処理する個別処理工程を含んでおり、前記関連付け処理部は、前記個別処理工程で得られる前記個別部材についての個別データのうち、前記識別ラベルの製品に対応する前記個別部材についての個別データと、前記識別ラベルと、を関連付けてもよい。この構成によれば、関連付け処理部は、識別ラベルと、当該識別ラベルの製品に対応する分割データおよび個別データとを関連付けることができる。これにより、関連付け処理部は、個別処理工程と一括処理工程とを含む製造工程で得られる情報を切れ目なく識別ラベルに関連付けることができる。
【００１０】
（３）上記形態のデータ処理装置において、前記分割処理部は、前記一括処理工程で前記一体部材を連続的に処理するときの前記一体部材の送り速度に応じて、前記時系列データの全データ数に対する前記分割データのそれぞれに含まれるデータ数の比率を変更してもよい。この構成によれば、一括処理工程における一体部材の送り速度によって１つの製品に対応するデータ数が変化しても、分割処理部は、１つの製品に対応するよう時系列データを分割する。これにより、関連付け処理部は、１つの製品の識別ラベルと当該１つの製品に対応する分割データとを確実に関連付けることができる。
【００１１】
（４）上記形態のデータ処理装置において、前記製品の製造工程は、前記一体部材を前記一括処理工程で連続的に処理したのち、前記一体部材の各部に対応する複数の前記個別部材を前記個別処理工程で１つずつ処理するものであって、前記関連付け処理部は、前記一括処理工程で前記一体部材の各部が処理される順番と、前記個別処理工程で前記個別部材が処理される順番とが同じである場合、処理された順の前記各部と、処理された順の前記個別部材と、が対応づけられるように前記識別ラベル、前記分割データ、および、前記個別データを関連付け、前記一括処理工程で前記一体部材の各部が処理される順番と、前記個別処理工程で前記個別部材が処理される順番とが逆である場合、処理された順の前記各部と、処理された順とは反対となる順番の前記個別部材と、が対応づけられるように前記識別ラベル、前記分割データ、および、前記個別データを関連付けてもよい。
【００１２】
この構成によれば、関連付け処理部は、一括処理工程で一体部材の各部が処理される順番と、個別処理工程で各部のそれぞれに対応する複数の個別部材が処理される順番との関係に応じて、識別ラベル、分割データ、および、個別データを関連付ける。これにより、１つの識別ラベルと、当該識別ラベルの製品に対応する分割データおよび個別データとを確実に関連付けることができる。
【００１３】
（５）上記形態のデータ処理装置は、さらに、前記一括処理工程における前記一体部材の処理を開始する前から当該一体部材の処理を終了した後までの測定データから、前記一体部材の処理を開始する前の測定データ、および、前記一体部材の処理を終了した後の測定データを削除することによって前記時系列データを作成する時系列データ作成部を備えてもよい。この構成によれば、時系列データから複数の製品間の差異を評価するために不要な測定データを排除することができるため、製品に関連付けられる分割データの精度を向上することができる。
【００１４】
なお、本発明は、種々の態様で実現することが可能であり、例えば、データ処理方法、データ処理システム、データ処理方法をコンピュータに実行させるコンピュータプログラム、コンピュータプログラムを配布するためのサーバ装置、コンピュータプログラムを記憶した一時的でない記憶媒体等などの形態で実現することができる。
【図面の簡単な説明】
【００１５】
【図１】データ処理装置が適用される製品の製造工程の説明図である。
【図２】データ処理装置の概略構成を示した説明図である。
【図３】データ処理方法のフローチャートである。
【図４】一括処理工程における製品の製造時データを示す特性図である。
【図５】データ処理装置が作成する時系列データを示す特性図である。
【図６】時系列データの分割処理を説明する特性図である。
【図７】分割データの関連付け処理を説明する特性図である。
【発明を実施するための形態】
【００１６】
＜第１実施形態＞
第１実施形態のデータ処理装置１は、一括処理工程と個別処理工程との２つの工程を含む製造工程で得られる製品に関する測定データを用いて、当該製造工程を解析する。ここで、一括処理工程とは、複数の製品に対応する一体部材を連続的に処理する工程である。個別処理工程とは、１つの製品に対応する個別部材を処理する工程である。また、測定データとは、製品の製造時にセンサによって測定されたある時刻における当該製品の製造に関する物理量の測定値を指す。データ処理装置１が適用される製品の製造工程とは、例えば、金属材を長尺の薄板に圧延する圧延工程と当該薄板を所定の長さに切断した後成形する成形工程とを含む金属部材の製造工程、長尺の布を織る製織工程と当該布を所定の大きさに裁断する裁断工程とを含む織物製造工程、ロール状の紙に印刷する印刷工程と印刷された紙を所定の長さに切断する切断工程とを含む印刷物製造工程などがあげられる。
【００１７】
図１は、データ処理装置１が適用される「製品」としての成形部材１０の製造工程の説明図である。成形部材１０の製造工程は、「一括処理工程」としての圧延工程、「個別処理工程」としての切断工程、および、「個別処理工程」としての成形工程から構成されている。成形部材１０の製造工程は、圧延工程で「一体部材」としての金属材１１を処理し、切断工程および成形工程で「個別部材」としての板状部材１５を処理することによって、最終的に１つの金属材１１から複数の成形部材１０を成形する。
【００１８】
成形部材１０の製造工程では、最初に、圧延工程として、図示しない圧延装置が備える二つのローラ１２、１３によって金属材１１を圧延し、薄板１４を成形する。圧延工程では、ローラ１２、１３の圧延荷重、金属材１１の圧延時の温度、圧延の処理速度に相当する金属材１１の送り速度などの測定データが、圧延装置を制御する図示しない圧延制御部に記憶される。
【００１９】
圧延工程の次の切断工程として、図示しない切断装置が備える図示しない切断刃によって薄板１４を切断し、複数の板状部材１５に生成する。切断工程では、薄板１４を切断するために必要であった切断荷重などの測定データが、切断装置を制御する図示しない切断制御部に記憶される。
【００２０】
切断工程の次の成形工程として、図示しない成形装置が備える図示しない成形具によって、板状部材１５を所望の形状に成形する。これにより、成形部材１０が完成する。成形工程では、板状部材１５の成形荷重、成形部材１０のそれぞれの形状などの測定データが、成形装置を制御する図示しない成形制御部に記憶される。
【００２１】
図２は、データ処理装置１の概略構成を示した説明図である。データ処理装置１は、時系列データ作成部２０、分割処理部３０、記憶部４０、関連付け処理部５０、および、解析処理部６０を備える。
【００２２】
時系列データ作成部２０は、圧延制御部と分割処理部３０とに電気的に接続している。時系列データ作成部２０は、圧延制御部が出力する測定データから、１サイクルの圧延工程における圧延処理中の測定データの時間変化を示す時系列データを作成する。時系列データ作成部２０は、作成した時系列データを、分割処理部３０に出力する。
【００２３】
分割処理部３０は、データ分割部３１、および、処理速度判定部３２を備える。
データ分割部３１は、時系列データ作成部２０と記憶部４０とに電気的に接続している。データ分割部３１は、時系列データ作成部２０が出力する１つの時系列データを１サイクルの圧延工程によって処理される成形部材１０の製品数で分割し、成形部材１０の製品数の分割データを作成する。ここで、分割データとは、時系列データの一部であって所定の時間間隔内の測定データまたは測定データの集合である。データ分割部３１は、作成した複数の分割データを記憶部４０に出力する。データ分割部３１における時系列データの分割処理の詳細は、後述する。
【００２４】
処理速度判定部３２は、圧延制御部とデータ分割部３１とに電気的に接続している。処理速度判定部３２は、圧延制御部が出力する金属材１１の送り速度の速度データを記憶するとともに、記憶した金属材１１の送り速度について判定する。処理速度判定部３２は、判定結果をデータ分割部３１に出力する。処理速度判定部３２における金属材１１の送り速度に関する判定についての詳細は、後述する。
【００２５】
記憶部４０は、分割データ記憶部４１、切断データ記憶部４２、および、成形データ記憶部４３を備える。
分割データ記憶部４１は、データ分割部３１が出力する分割データを記憶する。
切断データ記憶部４２は、切断制御部が出力する１サイクルの切断工程における測定データを、切断工程の個別データとして記憶する。ここで、切断工程の個別データとは、１つの板状部材１５に対応する切断工程での測定データまたは測定データの集合を指す。
成形データ記憶部４３は、成形制御部が出力する１サイクルの成形工程における測定データを、成形工程の個別データとして記憶する。ここで、成形工程の個別データとは、１つの板状部材１５に対応する成形工程での測定データまたは測定データの集合を指す。
【００２６】
関連付け処理部５０は、記憶部４０と解析処理部６０とに電気的に接続している。関連付け処理部５０は、複数の成形部材１０のうち特定の１つの成形部材１０を識別するための識別ラベルと、分割データ記憶部４１が記憶する分割データと、切断データ記憶部４２が記憶する切断工程の個別データと、成形データ記憶部４３が記憶する成形工程の個別データと、を関連付け、製造工程を解析するための解析用データを作成する。関連付け処理部５０における識別ラベルと分割データおよび個別データとの関連付け処理の詳細は、後述する。
【００２７】
解析処理部６０は、関連付け処理部５０に電気的に接続している。解析処理部６０は、関連付け処理部５０で作成された解析用データを用いて成形部材１０の製造工程を解析する。
【００２８】
次に、データ処理装置１におけるデータ処理方法の詳細を説明する。図３は、データ処理方法のフローチャートである。
【００２９】
最初に、圧延工程における測定データの時間変化を示す製造時データが１サイクルの圧延工程ごとに１ファイルで入力されているか否かを判定する（ステップＳ１１）。時系列データ作成部２０は、入力される製造時データが１サイクルの圧延工程ごとに１ファイルで入力されているか否かを判定する。製造時データが、１サイクルの圧延工程ごとに１ファイルで入力されていると判定される場合、ステップＳ１２に進む。製造時データが、１サイクルの圧延工程ごとに１ファイルで入力されていないと判定される場合、ステップＳ１３に進む。
【００３０】
ステップＳ１３では、時系列データ作成部２０は、圧延工程の製造時データを、１サイクルの圧延工程ごとに１ファイルに分割する。時系列データ作成部２０が圧延工程の製造時データを１サイクルの圧延工程ごとに１ファイルに分割した後、ステップＳ１２に進む。
【００３１】
次に、時系列データ作成部２０にある１ファイルに含まれる測定データは圧延処理中の測定データのみであるか否かを判定する（ステップＳ１２）。時系列データ作成部２０は、１ファイルに含まれる測定データが金属材１１を圧延処理している最中の測定データのみであるか否かを判定する。１ファイルに含まれる測定データが金属材１１の圧延処理中の測定データのみであると判定される場合、１ファイルに含まれる測定データを１つの時系列データとしてデータ分割部３１に出力し、ステップＳ１４に進む。１ファイルに含まれる測定データが金属材１１の圧延処理中の測定データのみでないと判定される場合、ステップＳ１５に進む。
【００３２】
ステップＳ１５では、時系列データ作成部２０は、１ファイルに含まれる測定データから圧延処理を開始する前の測定データ、および、圧延処理を終了した後の測定データを削除する。これにより、１ファイルに含まれる測定データが金属材１１の圧延処理中の測定データのみとなり、１つの時系列データが作成される。
【００３３】
図４は、圧延工程における成形部材１０の製造時データを示す特性図である。図４では、横軸に圧延工程において同じ時間間隔で測定された圧延荷重値のデータ番号を示し、縦軸に圧延荷重値を示す。横軸は、圧延荷重値のデータ番号が大きくなる順に示されており、時間の経過を表していると見てもよい。すなわち、図４は、１サイクルの圧延工程における圧延荷重値の時間変化を示している。
【００３４】
ステップＳ１５における「圧延処理を開始する前の測定データ」とは、例えば、図４に示す特性図において、圧延荷重値が一定の値以下となっている区間内であってデータ番号が大きくなるにつれて圧延荷重値が大きくなる区間内（以下、「処理開始前区間内」という）のデータを指す。ステップＳ１５では、時系列データ作成部２０は、１ファイルに含まれる測定データから処理開始前区間内の測定データを削除する。
【００３５】
また、ステップＳ１５における「圧延処理を終了した後の測定データ」とは、例えば、図４に示す特性図において、圧延荷重値が一定の値以下となっている区間内であってデータ番号が大きくなるにつれて圧延荷重値が小さくなる区間内（以下、「処理終了後区間内」という）の測定データを指す。ステップＳ１５では、時系列データ作成部２０は、１ファイルに含まれる測定データから処理終了後区間内の測定データを削除する。これにより、時系列データ作成部２０の１ファイルに含まれる測定データは、図４に示す処理中区間内の測定データのみとなる。
【００３６】
図５は、処理中区間内の測定データを示す特性図である。図５に示す処理中区間内の測定データは、金属材１１を圧延処理している最中の測定データのみとなっている。時系列データ作成部２０は、処理中区間内の測定データを時系列データとしてデータ分割部３１に出力する。
【００３７】
次に、時系列データが１サイクルの圧延処理中の測定データであることを確認する（ステップＳ１４）。ステップＳ１４では、データ分割部３１は、時系列データ作成部２０が出力する時系列データが１サイクルの圧延処理中の測定データのみであることを確認する。
【００３８】
次に、圧延工程における金属材１１の送り速度のデータが入力されているか否かを判定する（ステップＳ１６）。処理速度判定部３２は、圧延制御部から金属材１１の送り速度のデータが入力されているか否かを判定し、当該判定結果をデータ分割部３１に出力する。金属材１１の送り速度のデータが入力されていないと判定される場合、ステップＳ１７に進む。金属材１１の送り速度のデータが入力されていると判定される場合、ステップＳ１８に進む。
【００３９】
ステップＳ１７では、時系列データを、１サイクルの圧延工程で処理される成形部材１０の製品数で均等に分割する。データ分割部３１は、時系列データ作成部２０が作成した時系列データを、１サイクルの圧延工程で処理される成形部材１０の製品数で分割し、同じ時間間隔の測定データまたは測定データの集合である分割データを作成する。これにより、分割データのそれぞれに含まれる測定データのデータ数は、同じとなる。
【００４０】
図６は、時系列データの分割処理を説明する特性図である。図６には、１サイクルの圧延工程で処理される成形部材１０の製品数で時系列データを分割するときの一例を示してある。図６に示す点線の枠Ｄは、１つの分割データに含まれる測定データの範囲を例示的に示している。
【００４１】
図６（ａ）は、ステップＳ１７における分割処理の一例である。例えば、１サイクルの圧延工程で処理される成形部材１０の製品数が２００個であって、時系列データの全データ数が３０００である場合、３０００点の測定データを１５点ずつ分割し、当該１５点の測定データを１つの分割データとする。これにより、それぞれ測定データのデータ数が１５の分割データが２００個生成される。
【００４２】
また、ステップＳ１８では、圧延工程における金属材１１の送り速度が一定であったか否かを判定する。処理速度判定部３２は、処理速度判定部３２に記憶されている金属材１１の送り速度のデータから、金属材１１の送り速度が一定であったか否かを判定し、当該判定結果をデータ分割部３１に出力する。金属材１１の送り速度が一定であったと判定される場合、ステップＳ１７に進む。金属材１１の送り速度が一定でなかったと判定される場合、ステップＳ１９に進む。
【００４３】
ステップＳ１９では、時系列データを、金属材１１の送り速度の変化に応じて１サイクルの圧延工程で処理される成形部材１０の製品数で分割する。このとき、分割データに含まれる測定データの数は、金属材１１の送り速度の変化によって異なる。
【００４４】
図６（ｂ）は、ステップＳ１９における分割処理の一例である。例えば、１サイクルの圧延工程で処理される成形部材１０の製品数が２００個であって、時系列データの全データ数が３０００であるとする。また、圧延処理の前半における金属材１１の送り速度が、後半における金属材１１の送り速度の２倍であったとする。この場合、２００個の成形部材１０のうち圧延処理の前半に処理された１００個の成形部材１０に対応する測定データは、３０００点の測定データのうちデータ番号が小さい方の２０００点となる。したがって、時系列データの前半の２０００点の測定データを２０点ずつ分割したものが１つの分割データとなる。また、一括処理された２００個の成形部材１０のうち圧延処理の後半に処理された１００個の成形部材１０に対応する測定データは、３０００点の測定データのうちデータ番号が大きい方の１０００点となる。したがって、時系列データの後半の１０００点の測定データを１０点ずつ分割したものが１つの分割データとなる。これにより、前半に処理された成形部材１０に対応する金属材１１の各部の分割データに含まれるデータ数は、後半に処理された成形部材１０に対応する金属材１１の各部の分割データに含まれるデータ数の２倍となる。
このように、ステップＳ１９では、データ分割部３１は、処理速度判定部３２が出力する判定結果に応じて、時系列データの測定データの全データ数に対するそれぞれの分割データに含まれる測定データのデータ数の比率を変更する。
【００４５】
次に、成形工程における成形部材１０の成形の順番に沿って成形部材１０の識別ラベルと分割データおよび二つの個別データとを関連付ける（ステップＳ２０）。具体的には、関連付け処理部５０には、成形工程を経て完成する複数の成形部材１０のそれぞれに付される識別ラベルが入力される。このとき、関連付け処理部５０は、分割データ記憶部４１に記憶されている分割データ、切断データ記憶部４２に記憶されている切断工程の個別データ、および、成形データ記憶部４３に記憶されている成形工程の個別データをそれぞれの記憶部から読み込む。関連付け処理部５０は、入力される識別ラベルと、当該識別ラベルの成形部材１０に対応する分割データ、切断工程の個別データ、および、成形工程の個別データと、を関連付け、解析用データを作成する。関連付け処理部５０は、作成した解析用データを解析処理部６０に出力する。
【００４６】
ステップＳ２０では、関連付け処理部５０は、圧延工程で金属材１１の各部が処理される順番と、切断工程および成形工程で板状部材１５が処理される順番とが同じである場合、圧延処理された順の金属材１１の各部と、切断処理および成形処理された順の板状部材１５と、が対応づけられるように、識別ラベル、分割データ、および、個別データを関連付ける。圧延工程で金属材１１の各部が処理される順番と切断工程および成形工程で板状部材１５が処理される順番とが同じである場合とは、例えば、圧延された順に薄板１４を切断し成形する場合などが該当する。
【００４７】
また、ステップＳ２０では、関連付け処理部５０は、圧延工程で金属材１１の各部が処理される順番と、切断工程および成形工程で板状部材１５が処理される順番とが逆である場合、圧延処理された順の金属材１１の各部と、切断処理および成形処理された順とは反対となる順番の板状部材１５と、が対応づけられるように、識別ラベル、分割データ、および、個別データを関連付ける。圧延工程で金属材１１の各部が処理される順番と切断工程および成形工程で板状部材１５が処理される順番とが逆である場合とは、例えば、圧延処理された薄板１４をロール状に巻き取ったのち当該ロール状の薄板１４に最後に巻かれた端部から切断し成形する場合などが該当する。
【００４８】
図７は、分割データの関連付け処理を説明する特性図である。図７に示す点線の枠は、１つの分割データに含まれる測定データの範囲を示している。また、図７では、識別ラベルの番号を、成形工程で成形部材１０が成形された順番に、ラベル番号１、ラベル番号２、ラベル番号３と示す。
【００４９】
図７（ａ）は、ステップＳ２０において、圧延工程で金属材１１の各部が処理される順番と切断工程および成形工程で板状部材１５が処理される順番とが同じである場合の分割データと識別ラベルとの関係を示す。関連付け処理部５０は、図７（ａ）に示すように、データ番号が小さい測定データを含む分割データから順に、識別ラベルの番号が大きくなるよう、分割データと識別ラベルとを関連付ける。
【００５０】
また、図７（ｂ）は、ステップＳ２０において、圧延工程で金属材１１の各部が処理される順番と切断工程および成形工程で板状部材１５が処理される順番とが逆である場合の分割データと識別ラベルとの関係を示す。関連付け処理部５０は、図７（ｂ）に示すように、データ番号が大きい測定データを含む分割データから順に、識別ラベルの番号が大きくなるよう、分割データと識別ラベルとを関連付ける。
【００５１】
このように、ステップＳ２０では、圧延工程における処理の順番と切断工程および成形工程における処理の順番との関係に沿って、解析用データが作成される。
【００５２】
次に、解析用データを用いて、成形部材１０の製造工程を解析する（ステップＳ２１）。解析処理部６０は、関連付け処理部５０が出力する解析用データを用いて、例えば、成形部材１０の出来栄えと各小工程の測定データとの関係を導出するための統計解析を行う。
【００５３】
以上説明した、本実施形態のデータ処理装置１によれば、分割処理部３０は、圧延工程で得られる時系列データを金属材１１に含まれる複数の成形部材１０の製品数で分割する。関連付け処理部５０は、各成形部材１０を識別するための識別ラベルと、成形部材１０の製品数に分割された時系列データの一部である分割データのうち当該識別ラベルの成形部材１０に対応する分割データと、を関連付ける。これにより、時系列データの一部を、当該時系列データの一部に対応する成形部材１０の識別ラベルに関連付けることができるため、時系列データを用いて金属材１１に含まれる複数の成形部材１０間の差異を解析可能な解析用データを作成することができる。
【００５４】
また、本実施形態のデータ処理装置１によれば、関連付け処理部５０は、圧延工程で得られる分割データと、切断工程で得られる個別データと、成形工程で得られる個別データと、識別ラベルとを関連付ける。これにより、関連付け処理部５０は、識別ラベルと、識別ラベルの成形部材１０に対応する分割データおよび二つの個別データとを関連付けることができるため、成形部材１０の製造工程で得られる測定データを切れ目なく識別ラベルに関連付けることができる。
【００５５】
また、本実施形態のデータ処理装置１によれば、ステップＳ１９で説明したように、圧延工程における金属材１１の送り速度によって１つの製品に対応するデータ数が変化しても、分割処理部３０は、１つの成形部材１０に対応するよう時系列データを分割する。これにより、関連付け処理部５０は、１つの成形部材１０の識別ラベルと当該１つの成形部材１０に対応する分割データとを確実に関連付けることができる。
【００５６】
また、本実施形態のデータ処理装置１によれば、関連付け処理部５０は、圧延工程で金属材１１の各部が処理される順番と、成形工程で各部のそれぞれに対応する複数の板状部材１５が処理される順番との関係に応じて、分割データと成形工程の個別データとを関連付ける。これにより、１つの識別ラベルに対して、対応する分割データおよび個別データを確実に関連付けることができる。
【００５７】
また、本実施形態のデータ処理装置１によれば、時系列データ作成部２０は、圧延制御部が出力する測定データから、１サイクルの圧延工程における圧延処理中の測定データの時間変化のみが示されている時系列データを作成する。これにより、時系列データから複数の成形部材１０間の差異を評価するために不要な測定データを排除することができるため、成形部材１０に関連付けられる分割データの精度を向上することができる。
【００５８】
＜本実施形態の変形例＞
本発明は上記の実施形態に限られるものではなく、その要旨を逸脱しない範囲において種々の態様において実施することが可能であり、例えば次のような変形も可能である。
【００５９】
［変形例１］
データ処理装置１は、時系列データ作成部２０、分割処理部３０、記憶部４０、関連付け処理部５０、および、解析処理部６０を備えるとした。しかしながら、データ処理装置１の構成はこれに限定されない。解析処理部６０は、なくてもよい。
また、分割処理部３０は、データ分割部３１、および、処理速度判定部３２を備えるとした。しかしながら、処理速度判定部３２は、なくてもよい。この場合、１つの分割データは、１サイクルの圧延工程で処理される成形部材１０の製品数で均等に分割されることとなる。
【００６０】
［変形例２］
データ処理装置１では、圧延工程における金属材１１の送り速度に変化がある場合、分割データに含まれる測定データの数は、金属材１１の送り速度の変化によって異ならせるとした。しかしながら、送り速度の変化とは無関係に１つの分割データに含まれる測定データの数を設定してもよい。
【００６１】
［変形例３］
データ処理装置１では、関連付け処理部５０は、圧延工程で金属材１１の各部が処理される順番と、成形工程で各部のそれぞれに対応する複数の板状部材１５が処理される順番との関係に応じて、識別ラベル、分割データおよび個別データを関連付けるとした。しかしながら、識別ラベル、分割データおよび個別データの関連付け処理は、これに限定されない。
【００６２】
［変形例４］
データ処理装置１では、時系列データ作成部での製造時のデータの処理において、処理開始前区間および処理終了後区間を、圧延荷重の大きさおよび圧延荷重の変化の方向によって設定するとした。処理開始前区間および処理終了後区間の設定は、製造時データにおける前後の時間や圧延荷重の変化率などで設定してもよい。例えば、圧延荷重の変化率で設定する場合、変化率が所定の値に比べ大きいと圧延処理中ではないと判断してもよい。
【００６３】
［変形例５］
データ処理装置１は、圧延処理を開始する前の測定データおよび圧延処理を終了した後の測定データを製造時データから削除し、時系列データを作成する時系列データ作成部２０を備えるとした。しかしながら、時系列データ作成部２０はなくてもよい。
【００６４】
［変形例６］
データ処理装置１では、時系列データとして、薄板１４を圧延している最中の圧延荷重値の時間変化であるとした。しかしながら、時系列データは、これに限定されない。第１実施形態の場合、薄板１４を圧延している最中の温度の時間変化であってもよい。
【００６５】
［変形例７］
データ処理装置１は、「一括処理工程」としての圧延工程、「個別処理工程」としての切断工程、および、「個別処理工程」としての成形工程を含む成形部材１０の製造工程に適用されるとした。しかしながら、データ処理装置１が適用される製造工程は、これに限定されない。「一括処理工程」を含む製品の製造工程であればよい。
【００６６】
［変形例８］
成形部材１０の製造工程では、成形工程を経て完成する複数の成形部材１０のそれぞれに識別ラベルが付されるとした。しかしながら、識別ラベルが付されるタイミングはこれに限定されない。切断工程を経て生成される板状部材１５のそれぞれに識別ラベルを付してもよい。この場合、関連付け処理部５０における関連付け処理は、識別ラベルと、分割データと、切断工程で得られる個別データと、が先に関連付けられた後、成形工程で得られる個別データが関連付けられるよう、データ処理されてもよい。
【００６７】
以上、実施形態、変形例に基づき本態様について説明してきたが、上記した態様の実施の形態は、本態様の理解を容易にするためのものであり、本態様を限定するものではない。本態様は、その趣旨並びに特許請求の範囲を逸脱することなく、変更、改良され得るとともに、本態様にはその等価物が含まれる。また、その技術的特徴が本明細書中に必須なものとして説明されていなければ、適宜、削除することができる。
【符号の説明】
【００６８】
１…データ処理装置
１０…成形部材
１１…金属材
１２、１３…ローラ
１４…薄板
１５…板状部材
２０…時系列データ作成部
３０…分割処理部
３１…データ分割部
３２…処理速度記憶部
４０…記憶部
４１…分割データ記憶部
４２…切断データ記憶部
４３…成形データ記憶部
５０…関連付け処理部
６０…解析処理部
【図１】
2020035171.tif 000003
【図２】
2020035171.tif 000004
【図３】
2020035171.tif 000005
【図４】
2020035171.tif 000006
【図５】
2020035171.tif 000007
【図６】
2020035171.tif 000008
【図７】
2020035171.tif 000009